(57)【要約】      （修正有）【課題】調節が便利である女性靴を提供する。【解決手段】ヒール付靴体１を含み、ヒール付靴体の前端の外周には係接スカート辺２が設けられ、スカート辺に係合している係合部は分離可能である操作装置を有している。操作装置は対称に設けられている操作左半台３と操作右半台４を含み、操作左半台における内壁には外向きに突起状の係接凸台６が設けられており、係接凸台の方向の操作右半台側の端面には、くぼみ状の係合溝が設けられており、操作右半台の内側壁には係接凸台を収納する係接凹溝が設けられており、操作右半台には取付溝が設けられ、取付溝には係接凸台と組み合わせられる自動係接裝置が設けられている。操作左半台と操作右半台はヒール付靴体から分離することができ、操作装置を組み立てた後、車両の運転に活用できる。操作装置の分離時において、ヒールを取り付けることにより、ハイヒールとしての使用が可能となり、日常の着用、街歩き、仕事等普通の靴と異ならないように活用できる。【選択図】図１
0003203933.tif 000002
【実用新案登録請求の範囲】
【請求項１】
ヒール付靴体を含み、
ヒール付靴体の前端の外周には、外側に突出するように延伸している係接スカート辺が連接され、
前記スカート辺に係合している前記係合部は、分離可能である操作装置を有し、
前記操作装置は、対称に設けられている操作左半台と操作右半台を含み、
前記操作左半台と操作右半台の後端は、蝶番により一体に接続され、
前記操作左半台における前記操作右半台の側壁に対する面には、外向きに突起状の係接凸台が設けられ、
前記係接凸台の前記操作右半台側の端面には、くぼみ状の係合溝が設けられ、
前記操作右半台の内側壁には、前記係接凸台を収納する係接凹溝が設けられ、
前記操作右半台には、取付溝が設けられ、
前記取付溝には、前記係接凸台と組み合わせられている自動係接装置が設けられていること、を特徴とする調節が便利である女性靴。
【請求項２】
前記自動係接装置は、前記取付溝の係合部に転動可能に取り付けられ、
前記係合部の一端には、前記係合溝と組み合わされる係合爪が設けられ、
前記係合部の他端には、前記操作右半台の表面にまで延伸している操作ブロックが設けられ、
前記係合爪の内側の前記係合部と前記取付溝との間には、係合バネが設けられていること、を特徴とする請求項１に記載の調節が便利である女性靴。
【請求項３】
前記操作ブロックの表面には、操作時の滑止め条が設けられていること、を特徴とする請求項２に記載の調節が便利である女性靴。
【請求項４】
前記操作右半台の外側には、前記取付溝を塞ぐ横向押圧板が設けられ、
前記横向押圧板の底部と前記取付溝の壁の間には、竪向押圧板が設けられていること、を特徴とする請求項２に記載の調節が便利である女性靴。
【請求項５】
前記操作左半台と、前記操作右半台のそれぞれの頂部には、前記係接スカート辺に組み合わせられるスカート辺凹溝が設けられていること、を特徴とする請求項１乃至請求項４のいずれか一項に記載の調節が便利である女性靴。
【請求項６】
前記操作左半台と前記操作右半台のそれぞれは、前記ヒール付靴体のつま先から足弓の方向に、徐々に低く傾斜するように設けられていること、を特徴とする請求項５に記載の調節が便利である女性靴。
【請求項７】
前記係接スカ―ト辺は、前記ヒール付靴体のつま先から足弓の箇所に設けられていること、を特徴とする請求項６に記載の調節が便利である女性靴。
【考案の詳細な説明】
【技術分野】
【０００１】
本考案は、日用品の技術領域に関し、特に仕事を有する女性が出勤する際や運転する際に、同時に満足することができる調節が便利である女性靴に関する。
【背景技術】
【０００２】
ハイヒールは、普通の靴よりヒールが高く、普通の靴と異なる靴型を呈している。現代女性の多くは仕事を有する女性であり、取引先や提携パートナーとの商談に赴くなど、出勤しての仕事、或いは外出業務が必要となる。そのため、彼女らは非常に服装を重視し、ハイヒールを履くことで女性としての気質を高めるものであり、女性の仕事時に必要不可欠な装飾品の一つとなっている。現代女性は各方面の能力全てが非常に突出してきており、また、ますます、女性職員が自らの運転により打合せに外出する業務を行うことが可能となっている。そのため、運転時において、ハイヒールのことが、彼女たちにとって一定の悩みを生じさせることにさえなっていた。これは、ハイヒールが運転時に車のブレーキを踏んだ足の感覚や、足首の敏捷性に影響しやすく、ブレーキ時における制御のための加力部位がなく、制動板を踏み込んだ際に靴を挟み込みやすいため、これらのあらゆる状況は、運転時に極めて危険な影響をもたらすものであった。一般的なハイヒールは、その特殊な靴形状であることに起因して、安全性を損なう隠れた原因となっているため、法律上の明文規定で、市中での運転時に、ハイヒールを履いた状態でのいかなる運転も禁止されている。
【考案の概要】
【考案が解決しようとする課題】
【０００３】
そこで、女性たちは、ローヒールを携帯しなければならず、外出に便利な運転に際し、非常に不便であった。
【０００４】
本考案は、上記技術問題の解決に、簡単な操作で、安全に使用できる調節が便利である女性靴を提供するものである。
【課題を解決するための手段】
【０００５】
上記技術問題を解決するために、本考案の技術方法は、ヒール付靴体を含み、ヒール付靴体の前端の外周には、外側に突出するように延伸している係接スカート辺が連接され、前記スカート辺に係合している前記係合部は、分離可能である操作装置を有し、前記操作装置は、対称に設けられている操作左半台と操作右半台を含み、前記操作左半台と操作右半台の後端は、蝶番により一体に接続され、前記操作左半台における前記操作右半台の側壁に対する面には、外向きに突起状の係接凸台が設けられ、前記係接凸台の前記操作右半台側の端面には、くぼみ状の係合溝が設けられ、前記操作右半台の内側壁には、前記係接凸台を収納する係接凹溝が設けられ、前記操作右半台には、取付溝が設けられ、前記取付溝には、前記係接凸台と組み合わせられている自動係接装置が設けられている、調節が便利である女性靴である。
【０００６】
また、優れた技術として、前記自動係接装置は、前記取付溝に転動可能に取り付けられる係合部を含み、前記係合部の一端には、前記係合溝と組み合わされる係合爪が設けられ、前記係合部の他端には、前記操作右半台の表面にまで延伸している操作ブロックが設けられ、前記係合爪の内側の前記係合部と前記取付溝との間には、係合バネが設けられているものである。
【０００７】
また、優れた技術として、前記操作ブロックの表面には、操作時の滑止め条が設けられているものである。
【０００８】
また、優れた技術として、前記操作右半台の外側には、前記取付溝を塞ぐ横向押圧板が設けられ、前記横向押圧板の底部と前記取付溝の壁の間には、竪向押圧板が設けられているものである。
【０００９】
また、優れた技術として、前記操作左半台と、前記操作右半台的のそれぞれの頂部には、前記係接スカート辺に組み合わせられるスカート辺凹溝が設けられているものである。
【００１０】
また、優れた技術として、前記操作左半台と前記操作右半台のそれぞれは、前記ヒール付靴体のつま先から足弓の方向に、徐々に低く傾斜するように設けられているものである。
【００１１】
また、上記優れた技術の改良として、前記係接スカ―ト辺は、前記ヒール付靴体のつま先から足弓の箇所に設けられているものである。
【考案の効果】
【００１２】
上記技術である、「ヒール付靴体を含み、ヒール付靴体の前端の外周には、外側に突出するように延伸している係接スカート辺が連接され、前記スカート辺に係合している前記係合部は、分離可能である操作装置を有し、前記操作装置は、対称に設けられている操作左半台と操作右半台を含み、前記操作左半台と操作右半台の後端は、蝶番により一体に接続され、前記操作左半台における前記操作右半台の側壁に対する面には、外向きに突起状の係接凸台が設けられ、前記係接凸台の前記操作右半台側の端面には、くぼみ状の係合溝が設けられ、前記操作右半台の内側壁には、前記係接凸台を収納する係接凹溝が設けられ、前記操作右半台には、取付溝が設けられ、前記取付溝には、前記係接凸台と組み合わせられている自動係接装置が設けられている、調節が便利である女性靴」を採用することによる、本考案の有益な効果は次のとおりである。すなわち、操作左半台と操作右半台は、ヒール付靴体から分離することができ、操作装置を組み立てた後、靴底の嵌込ブロックからヒールを分離し、靴底平面を加力部位とすることで、靴先とヒールを同一水平線上（２度から５度以下）とし、車両の運転に活用できる。操作装置の分離時において、ヒールを取り付けることにより、ハイヒールとしての使用が可能となり日常の着用、街歩き、仕事等普通の靴と異ならないように活用でき、かつ、操作が簡単、便利である。
【図面の簡単な説明】
【００１３】
【図１】本考案の実施例の構造図である。
【図２】本考案の実施例の側面図である。
【図３】本考案の実施例の立体図である。
【図４】本考案の実施例の他方向の側面図である。
【図５】本考案の実施例における操作右半台の立体図である。
【図６】本考案の実施例における操作右半台の側面図である。
【図７】本考案の実施例の操作左半台の構造図である。
【図８】本考案の実施例の蝶番の構造図である。
【図９】本考案の実施例の操作右半台の回転後にける構造図である。
【図１０】本考案の実施例の操作右半台の回転後における自動係接装置の拡大構造図である。
【考案を実施するための形態】
【００１４】
以下に、図面と実施例に基づき、本考案に関して詳述する。下記の詳細な説明は、本考案の実施例の例示を示したものにすぎない。本領域の通常の技術者が理解することができ、本考案の精神と範囲の下、説明した実施例を各種の異なる方法で修正することができることは当然である。それゆえ、図面と叙述は、本質の説明をしたものであり、実用新案登録請求の範囲を制限するものではない。
【００１５】
図１、図２、図３、図４に示すように、調節が便利である女性靴は、ヒール付靴体１を含んでおり、前記ヒール付靴体１は、ハイヒール（不図示）を取り付けることができる。前記ヒール付靴体１の前端の外周には、外側に突出して延伸する係接スカート辺２が連接されている。前記係接スカート辺２は、前記ヒール付靴体１のつま先から足弓の箇所まで設けられており、スカート辺に係合している前記係合部１０は、分離可能である操作装置を有している。前記操作装置は、前記係接スカート辺２から分離することができ、ヒールをハイヒールとして保持し、女性の街歩き、仕事或いは面談業務での使用を可能とし、また、前記操作装置に取り付けた後、ヒール部の嵌込ブロック１７によりヒールの底面全体をほぼ水平にし、同一高さにしてさせ、運転時の使用に活用することができる。
【００１６】
図１、図２、図３、図４、図５、図６、図７、図８及び図９に示すように、本実施例の前記操作装置は、対称に設けられている操作左半台３と操作右半台４を含み、前記操作左半台３と操作右半台４の頂部のそれぞれに、前記係接スカート辺２に組み合わせられるスカート辺凹溝が設けられている。前記操作左半台３と操作右半台４の後端は、蝶番５により一体に接続されている。前記操作左半台３における前記操作右半台４の側壁に対する面には、外向きに突起状の係接凸台６が設けられており、前記係接凸台６の前記操作右半台４側の端面には、くぼみ状の係合溝７が設けられている。前記操作右半台４の内側壁には、前記係接凸台６の係接凹溝８が収納して設けられており、前記操作右半台４には、取付溝９が設けられ、前記取付溝９には、前記係合部１０の凸台と組み合わせられている自動係接装置が設けられている。
【００１７】
取付進行時には、前記蝶番５の作用により、前記操作左半台３と前記操作右半台４の間の距離を増大させ、前記係接スカート辺２を挿入しやすくし、前記係接スカ―ト辺２を位置決めして、前記操作左半台３と前記操作右半台４を係合進行させる。前記係接スカ―ト辺２と前記スカ―ト辺凹溝を係合させて、前記ヒール付鞋体１と、前記操作左半台３及び前記操作右半台４とが接続することにより一体とする。
【００１８】
図９及び図１０に示すように、前記自動係接装置は、前記取付溝９に転動可能に取り付けられている係合部１０を含んでいる。前記係合部１０の一端には、前記係合溝７に組み合わされる係合爪１１が設けられ、前記係合部１０の他端には、前記操作右半台４の表面にまで延伸している操作ブロック１２が設けられている。前記係合爪１１の内側の前記係合部１０と前記取付溝９の間には、係合バネ１３が設けられている。前記操作右半台４の外側には、前記取付溝９を塞ぐ横向押圧板１４が設けられており、前記横向押圧板１４の底部と前記取付溝９の壁の間には、竪向押圧板１５が設けられている。前記操作ブロック１２の表面には、操作しやすいように滑止め条１６が設けられている。
【００１９】
前記ヒール付靴体１と前記操作左半台３及び前記操作右半台４とは、一体とする接続時には、両半台が次第に近づくにつれて、前記係接凸台６が前記係接凹溝８の内部に進入し、徐々に、前記係合爪１１が前記係合溝７の内部に進入する。前記係合バネ１３が作用して、前記係合爪１１の解放時の「カチッ」という音が聞こえることで、係合部１０が前記係合溝７内の係合溝７に進入し終えたことがわかり、取り付けが完成する。分離時において、前記操作ブロック１２を靴先の方向に折り曲げ、鞋底の上表面に設けられるソフトボタンキャップ１８により、前記係合バネ１３の押圧を補助し、前記係合バネ１３を圧縮させ、前記係合爪１１を係合位置から離開させる。同時に、外側に前記操作左半台３又は前記操作右半台４を折り曲げ、両者を離反させて、両者を前記ヒール付靴体１から分離する。
【００２０】
前記操作左半台３と前記操作右半台４のそれぞれは、前記ヒール付靴体１のつま先からかかと方向に徐々に低くなる傾斜が設けられており、前記操作左半台３と記操作右半台４の取付け後に地面に対して水平となり、運転時の使用に適する。
【００２１】
本考案の操作左半台と操作右半台は、ヒール付靴体から分離することができ、操作装置を組み立てた後、靴底の嵌込ブロックからヒールを交換し、靴底平面を加力部位とすることで、靴先とヒールを同一水平線上（２度から５度以下）とし、車両の運転に活用できることになる。操作装置の分離時において、ヒールを取り付けることにより、ハイヒールとしての使用が可能となり、日常の着用、街歩き、仕事等普通の靴と異ならないように活用でき、かつ、操作が簡単、便利である。
【００２２】
以上、本考案の基本原理、主要特徴及び優れた点に関して、明示、説明した。本業界の技術者は、本考案が上記実施例の制限を受けることがなく、上記実施例と明細書中の説明は、本考案の原理を説明したものにすぎないことを理解すべきである。本考案の精紳と範囲を逸脱しない前提の下、本考案は、各種の変化及び改良をすることができ、これらの変化及び改良の全ては、本考案の範囲内の保護を要求しうる。本考案は、実用新案登録請求の範囲と同等の効果物の範囲までが保護範囲であることを要求するものである。
【符号の説明】
【００２３】
１        ヒール付靴体
２        係接スカ―ト辺
３        操作左半台
４        操作右半台
５        蝶番
６        係接凸台
７        係合溝
８        係接凹溝
９        取付溝
１０      係合部
１１      係合爪
１２      操作ブロック
１３      係合バネ
１４      横向押圧板
１５      竪向押圧板
１６      滑止め条
１７      嵌込ブロック
１８      ソフトボタンキャップ
【図１】
0003203933.tif 000003
【図２】
0003203933.tif 000004
【図３】
0003203933.tif 000005
【図４】
0003203933.tif 000006
【図５】
0003203933.tif 000007
【図６】
0003203933.tif 000008
【図７】
0003203933.tif 000009
【図８】
0003203933.tif 000010
【図９】
0003203933.tif 000011
【図１０】
0003203933.tif 000012
【手続補正書】
【提出日】平成28年2月24日(2016.2.24)
【手続補正１】
【補正対象書類名】実用新案登録請求の範囲
【補正対象項目名】全文
【補正方法】変更
【補正の内容】
【実用新案登録請求の範囲】
【請求項１】
ヒール付靴体を含み、
ヒール付靴体の前端の外周には、外側に突出するように延伸している係接スカート辺が連接され、
前記スカート辺に係合している係合部は、分離可能である操作装置を有し、
前記操作装置は、対称に設けられている操作左半台と操作右半台を含み、
前記操作左半台と操作右半台の後端は、蝶番により一体に接続され、
前記操作左半台における前記操作右半台の側壁に対する面には、外向きに突起状の係接凸台が設けられ、
前記係接凸台の前記操作右半台側の端面には、くぼみ状の係合溝が設けられ、
前記操作右半台の内側壁には、前記係接凸台を収納する係接凹溝が設けられ、
前記操作右半台には、取付溝が設けられ、
前記取付溝には、前記係接凸台と組み合わせられている自動係接装置が設けられていること、を特徴とする調節が便利である女性靴。
【請求項２】
前記自動係接装置は、前記取付溝の係合部に転動可能に取り付けられ、
前記係合部の一端には、前記係合溝と組み合わされる係合爪が設けられ、
前記係合部の他端には、前記操作右半台の表面にまで延伸している操作ブロックが設けられ、
前記係合爪の内側の前記係合部と前記取付溝との間には、係合バネが設けられていること、を特徴とする請求項１に記載の調節が便利である女性靴。
【請求項３】
前記操作ブロックの表面には、操作時の滑止め条が設けられていること、を特徴とする請求項２に記載の調節が便利である女性靴。
【請求項４】
前記操作右半台の外側には、前記取付溝を塞ぐ横向押圧板が設けられ、
前記横向押圧板の底部と前記取付溝の壁の間には、竪向押圧板が設けられていること、を特徴とする請求項２に記載の調節が便利である女性靴。
【請求項５】
前記操作左半台と、前記操作右半台のそれぞれの頂部には、前記係接スカート辺に組み合わせられるスカート辺凹溝が設けられていること、を特徴とする請求項１乃至請求項４のいずれか一項に記載の調節が便利である女性靴。
【請求項６】
前記操作左半台と前記操作右半台のそれぞれは、前記ヒール付靴体のつま先から足弓の方向に、徐々に低く傾斜するように設けられていること、を特徴とする請求項５に記載の調節が便利である女性靴。
【請求項７】
前記係接スカ―ト辺は、前記ヒール付靴体のつま先から足弓の箇所に設けられていること、を特徴とする請求項６に記載の調節が便利である女性靴。